(57)【要約】【課題】写真印刷物を収納整理するための収納ポケットを持った既製アルバムを保管しておき、写真画像の印刷販売時に、正規な顧客に対してのみアルバムを提供できると共に、写真印刷物の種類に対応する種類のアルバムを提供できるようにする。【解決手段】写真プリントを収納整理するための収納ポケットを持った既製アルバムが写真プリントの種類別に複数種保管されている状態において、写真プリンタ装置１８は、印刷対象の写真画像およびその印刷サイズが任意に指定された際に、この印刷対象画像をその指定サイズで個別に印刷して排出し、ＣＰＵ１１は、写真プリントの種類を判別し、写真アルバム提供装置１９は、写真プリントの種類に対応するアルバムを選択して排出する。【選択図】  図２
2005216207.tif 000002
【特許請求の範囲】
【請求項１】
写真画像を印刷して販売する写真画像印刷販売装置であって、
印刷対象の写真画像およびその印刷サイズが任意に指定された際に、指定された印刷対象画像をその指定サイズで個別に印刷して排出する印刷手段と、
写真印刷物の種類を判別する判別手段と、
写真印刷物を収納整理するための収納ポケットを持った既製アルバムを写真印刷物の種類別に複数種保管する保管手段と、
前記判別手段によって判別された写真印刷物の種類に対応するアルバムを選択する選択手段と、
この選択手段によって選択されたアルバムを排出するアルバム提供手段と、
を具備したことを特徴とする写真画像印刷販売装置。
【請求項２】
前記保管手段に保管されている複数種のアルバムは、写真印刷物の印刷サイズに相当する大きさの収納ポケットを持った印刷サイズ別のアルバムであり、
前記判別手段は、印刷対象画像毎に任意に指定された印刷サイズを当該写真印刷物の種類として判別する、
ようにしたことを特徴とする請求項1記載の写真画像印刷販売装置。
【請求項３】
前記保管手段に保管されている複数種のアルバムは、写真印刷物の印刷向きに相当する大きさの収納ポケットを持った印刷向き別のアルバムであり、
前記判別手段は、写真対象画像毎にその印刷向きを当該写真印刷物の種類として判別する、
ようにしたことを特徴とする請求項1記載の写真画像印刷販売装置。
【請求項４】
写真画像の印刷状況を検出する検出手段と、
この検出手段によって検出された印刷状況が所定条件を満たしているか否かを判定する判定手段と、
を設け、前記判定手段によって所定条件を満たしていることが判定された場合に、前記アルバム提供手段は、前記選択されたアルバムを排出する、
ようにしたことを特徴とする請求項1記載の写真画像印刷販売装置。
【請求項５】
前記検出手段は、種類別に写真印刷物の印刷枚数を計数することによって種類別の印刷状況を検出し、
前記判定手段は、種類別の印刷枚数が当該種類に対応して予め決められている最小値以上であるか否かを判定し、
前記選択手段は、種類別の印刷枚数が当該種類の最小値以上であることを条件に、その種類に対応するアルバムを選択する、
ようにしたことを特徴とする請求項４記載の写真画像印刷販売装置。
【請求項６】
写真印刷物の種類が複数種混在している場合に、種類別にその印刷枚数を集計する集計手段を設け、
この集計手段によって得られた種類別の印刷枚数のうち、前記選択手段は、印刷枚数が最も多い種類に対応するアルバムを選択する、
ようにしたことを特徴とする請求項１記載の写真画像印刷販売装置。
【請求項７】
写真印刷物の種類が複数種混在している場合に、前記選択手段は、各種類に対応する複数種のアルバムを選択する、
ようにしたことを特徴とする請求項１記載の写真画像印刷販売装置。
【請求項８】
コンピュータに対して、
印刷対象の写真画像およびその印刷サイズが任意に指定された際に、指定された印刷対象画像をその指定サイズで個別に印刷して排出する機能と、
写真印刷物の種類を判別する機能と、
写真印刷物を収納整理するための収納ポケットを持った既製アルバムが写真印刷物の種類別に複数種保管されている状態において、前記判別された写真印刷物の種類に対応するアルバムを選択して提供する機能と、
を実現させるためのプログラム。
【請求項９】
写真画像を印刷して販売する写真画像印刷販売装置であって、
印刷対象の写真画像が任意に指定された際に、指定された印刷対象画像を個別に印刷して排出する印刷手段と、
写真印刷物の印刷枚数を計数する計数手段と、
写真印刷物を収納整理するための既製アルバムを保管する保管手段と、
前記計数手段によって得られた印刷枚数に基づいてアルバムの必要部数を決定する決定手段と、
この決定手段によって決定された必要部数分のアルバムを排出するアルバム提供手段と、
を具備したことを特徴とする写真画像印刷販売装置。
【請求項１０】
印刷対象の写真画像およびその印刷枚数が任意に指定された際に、指定された印刷対象画像毎にその指定枚数分印刷する場合において、前記計数手段は、全ての印刷対象画像を印刷した合計印刷枚数を計数する、
ようにしたことを特徴とする請求項９記載の写真画像印刷販売装置。
【請求項１１】
前記計数手段は、同一の写真画像の繰り返し印刷が指定されたとしても、印刷対象として指定された画像数を印刷枚数として計数する、
ようにしたことを特徴とする請求項９記載の写真画像印刷販売装置。
【請求項１２】
コンピュータに対して、
印刷対象の写真画像が任意に指定された際に、指定された印刷対象画像を個別に印刷する機能と、
写真印刷物の印刷枚数を計数する機能と、
写真印刷物を収納整理するための既製アルバムが保管されている状態において、前記印刷枚数に基づいてアルバムの必要部数を決定する機能と、
決定された必要部数分のアルバムを排出する機能と、
を実現させるためのプログラム。
【請求項１３】
写真画像を印刷して販売する写真画像印刷販売装置であって、
印刷対象の写真画像が任意に指定された際に、指定された印刷対象画像を個別に印刷して排出する印刷手段と、
写真印刷物の印刷枚数を計数する計数手段と、
写真印刷物を収納整理するための既製アルバムとして、収納可能枚数が異なる複数種のアルバムを保管する保管手段と、
前記計数手段によって得られた印刷枚数分の写真印刷物を全て収納可能なアルバムの種類を決定する決定手段と、
この決定手段によって決定された種類のアルバムを排出するアルバム提供手段と、
を具備したことを特徴とする写真画像印刷販売装置。
【請求項１４】
前記印刷対象の写真画像は、投入された記録メディア内の各写真画像の中から任意に指定された写真画像、外部機器から通信手段を介して送信されて来た写真画像のうち、少なくともその何れかの写真画像である、
ことを特徴とする請求項１、請求項９、請求項１３の何れか記載の写真画像印刷販売装置。
【請求項１５】
コンピュータに対して、
写真印刷物の印刷枚数を計数する機能と、
印刷対象の写真画像が任意に指定された際に、指定された印刷対象画像を個別に印刷して排出する機能と、
写真印刷物を収納整理するための既製アルバムとして、収納可能枚数が異なる複数種のアルバムが保管されている状態において、前記印刷枚数分の写真印刷物を全て収納可能なアルバムの種類を決定する機能と、
決定された種類のアルバムを排出する機能と、
を実現させるためのプログラム。
【発明の詳細な説明】
【技術分野】
【０００１】
この発明は、写真画像を印刷して販売する写真画像印刷販売装置およびプログラムに関する。
【背景技術】
【０００２】
従来、写真画像を印刷してアルバムを作成する技術としては、例えば、機構的な各プロセスを経由しながら写真画像を両面印刷してアルバムページを作成するようにしたアルバムページ作成装置が知られている（特許文献１参照）。また、写真画像の印刷枚数に基づいて各画像データのレイアウトを各ページ毎に決定しながら製本してポケットアルバムを作成するようにした画像処理方法および装置が知られている（特許文献２参照）。
【特許文献１】特開２００１−２２５５７８号公報
【特許文献２】特開２００３−２１１７７４号公報
【発明の開示】
【発明が解決しようとする課題】
【０００３】
しかしながら、上述した何れの技術にあっては、写真画像そのものを各ページに印刷してアルバムを作成することを前提とするものであり、印刷された各写真プリントを収納整理するために既に出来上がっている簡易アルバム(既製品)を顧客に提供するものではなかった。
ところで、写真画像を印刷して販売する販売装置においては、顧客に対してアルバムを無料提供するために専用ボックスに収めて自由持ち出しを可能とするサービスを行う場合に、必要部数分以上のアルバムが持ち出されたり、顧客以外の者に持ち出されてしまうおそれがあり、また、Ｌサイズ、２Ｌサイズ、パノラマサイズなどのようにプリントサイズ別に用意されている各種のアルバムの中から今回のプリントサイズに合ったアルバムを持ち出す際に、その種類を間違えるおそれもあった。
【０００４】
第１の発明の課題は、写真印刷物を収納整理するための収納ポケットを持った既製アルバムを保管しておき、写真画像の印刷販売時に、正規な顧客に対してのみアルバムを提供できると共に、写真印刷物の種類に対応する種類のアルバムを提供できるようにすることである。
第２の発明の課題は、写真印刷物を収納整理するための収納ポケットを持った既製アルバムを保管しておき、写真画像の印刷販売時に、正規な顧客に対してのみアルバムを提供できると共に、印刷枚数に応じた必要部数分のアルバムを提供できるようにすることである。
第３の発明の課題は、写真印刷物を収納整理するための既製アルバムとして、収納可能枚数が異なる複数種のアルバムを保管しておき、写真画像の印刷販売時に、印刷枚数分の写真印刷物を全て収納可能な種類のアルバムを提供できるようにすることである。
【課題を解決するための手段】
【０００５】
請求項１記載の発明（第１の発明）は、写真画像を印刷して販売する写真画像印刷販売装置であって、印刷対象の写真画像およびその印刷サイズが任意に指定された際に、指定された印刷対象画像をその指定サイズで個別に印刷して排出する印刷手段と、写真印刷物の種類を判別する判別手段と、写真印刷物を収納整理するための収納ポケットを持った既製アルバムを写真印刷物の種類別に複数種保管する保管手段と、前記判別手段によって判別された写真印刷物の種類に対応するアルバムを選択する選択手段と、この選択手段によって選択されたアルバムを排出するアルバム提供手段とを具備したことを特徴とする。
更に、コンピュータに対して、上述した請求項１記載の発明に示した主要機能を実現させるためのプログラムを提供する（請求項８記載の発明）。
【０００６】
なお、請求項１記載の発明は次のようなものであってもよい。
前記保管手段に保管されている複数種のアルバムは、写真印刷物の印刷サイズに相当する大きさの収納ポケットを持った印刷サイズ別のアルバムであり、前記判別手段は、印刷対象画像毎に任意に指定された印刷サイズを当該写真印刷物の種類として判別する（請求項２記載の発明）。
【０００７】
前記保管手段に保管されている複数種のアルバムは、写真印刷物の印刷向きに相当する大きさの収納ポケットを持った印刷向き別のアルバムであり、前記判別手段は、写真対象画像毎にその印刷向きを当該写真印刷物の種類として判別する（請求項３記載の発明）。
【０００８】
写真画像の印刷状況を検出する検出手段と、この検出手段によって検出された印刷状況が所定条件を満たしているか否かを判定する判定手段とを設け、前記判定手段によって所定条件を満たしていることが判定された場合に、前記アルバム提供手段は、前記選択されたアルバムを排出する（請求項４記載の発明）。
【０００９】
この場合、前記検出手段は、種類別に写真印刷物の印刷枚数を計数することによって種類別の印刷状況を検出し、前記判定手段は、種類別の印刷枚数が当該種類に対応して予め決められている最小値以上であるか否かを判定し、前記選択手段は、種類別の印刷枚数が当該種類の最小値以上であることを条件に、その種類に対応するアルバムを選択する（請求項５記載の発明）。
【００１０】
写真印刷物の種類が複数種混在している場合に、種類別にその印刷枚数を集計する集計手段を設け、この集計手段によって得られた種類別の印刷枚数のうち、前記選択手段は、印刷枚数が最も多い種類に対応するアルバムを選択する（請求項６記載の発明）。
【００１１】
写真印刷物の種類が複数種混在している場合に、前記選択手段は、各種類に対応する複数種のアルバムを選択する（請求項７記載の発明）。
【００１２】
前記印刷対象の写真画像は、投入された記録メディア内の各写真画像の中から任意に指定された写真画像、外部機器から通信手段を介して送信されて来た写真画像のうち、少なくともその何れかの写真画像である（請求項１４記載の発明）。
【００１３】
請求項９記載の発明（第２の発明）は、写真画像を印刷して販売する写真画像印刷販売装置であって、印刷対象の写真画像が任意に指定された際に、指定された印刷対象画像を個別に印刷して排出する印刷手段と、写真印刷物の印刷枚数を計数する計数手段と、写真印刷物を収納整理するための既製アルバムを保管する保管手段と、前記計数手段によって得られた印刷枚数に基づいてアルバムの必要部数を決定する決定手段と、この決定手段によって決定された必要部数分のアルバムを排出するアルバム提供手段とを具備したことを特徴とする。
更に、コンピュータに対して、上述した請求項９記載の発明に示した主要機能を実現させるためのプログラムを提供する（請求項１２記載の発明）。
【００１４】
なお、請求項９記載の発明は次のようなものであってもよい。
印刷対象の写真画像およびその印刷枚数が任意に指定された際に、指定された印刷対象画像毎にその指定枚数分印刷する場合において、前記計数手段は、全ての印刷対象画像を印刷した合計印刷枚数を計数する（請求項１０記載の発明）。
【００１５】
前記計数手段は、同一の写真画像の繰り返し印刷が指定されたとしても、印刷対象として指定された画像数を印刷枚数として計数する（請求項１１記載の発明）。
【００１６】
前記印刷対象の写真画像は、投入された記録メディア内の各写真画像の中から任意に指定された写真画像、外部機器から通信手段を介して送信されて来た写真画像のうち、少なくともその何れかの写真画像である（請求項１４記載の発明）。
【００１７】
請求項１３記載の発明（第３の発明）は、写真画像を印刷して販売する写真画像印刷販売装置であって、印刷対象の写真画像が任意に指定された際に、指定された印刷対象画像を個別に印刷して排出する印刷手段と、写真印刷物の印刷枚数を計数する計数手段と、写真印刷物を収納整理するための既製アルバムとして、収納可能枚数が異なる複数種のアルバムを保管する保管手段と、前記計数手段によって得られた印刷枚数分の写真印刷物を全て収納可能なアルバムの種類を決定する決定手段と、この決定手段によって決定された種類のアルバムを排出するアルバム提供手段とを具備したことを特徴とする。
更に、コンピュータに対して、上述した請求項１３記載の発明に示した主要機能を実現させるためのプログラムを提供する（請求項１５記載の発明）。
【００１８】
なお、請求項１３記載の発明は次のようなものであってもよい。
前記印刷対象の写真画像は、投入された記録メディア内の各写真画像の中から任意に指定された写真画像、外部機器から通信手段を介して送信されて来た写真画像のうち、少なくともその何れかの写真画像である（請求項１４記載の発明）。
【発明の効果】
【００１９】
請求項１記載の発明（第１の発明）によれば、写真印刷物を収納整理するための収納ポケットを持った既製アルバムが写真印刷物の種類別に複数種保管されている状態において、印刷対象の写真画像およびその印刷サイズが任意に指定された際に、この印刷対象画像をその指定サイズで個別に印刷して排出すると共に、写真印刷物の種類を判別し、この種類に対応するアルバムを選択して提供するようにしたから、顧客以外の者にアルバムが持ち出されることはなく、正規な顧客に対してのみアルバムを提供できると共に、写真印刷物の種類に対応する種類のアルバムを提供することができる。
【００２０】
請求項２記載の発明によれば、上述した請求項１記載の発明と同様の効果を有する他、複数種のアルバムは、写真印刷物の印刷サイズに相当する大きさの収納ポケットを持った印刷サイズ別のアルバムであり、印刷対象画像毎に任意に指定された印刷サイズを当該写真印刷物の種類として判別するようにしたから、例えば、Ｌサイズ、２Ｌサイズ、パノラマサイズなどのようにプリントサイズ別に用意されている各種のアルバムの中から今回のプリントサイズに合った種類のアルバムを提供することができる。
【００２１】
請求項３記載の発明によれば、上述した請求項１記載の発明と同様の効果を有する他、複数種のアルバムは、写真印刷物の印刷向きに相当する大きさの収納ポケットを持った印刷向き別のアルバムであり、写真対象画像毎にその印刷向きを当該写真印刷物の種類として判別するようにしたから、例えば、プリントサイズが同一であっても、縦長／横長のように印刷向き別に用意されている各種のアルバムの中から今回の印刷向きに合った種類のアルバムを提供することができる。
【００２２】
請求項４記載の発明によれば、上述した請求項１記載の発明と同様の効果を有する他、写真画像の印刷状況を検出すると共に、この印刷状況が所定条件を満たしているか否かを判定し、所定条件を満たしている場合にアルバムを排出するようにしたから、正規な顧客であっても無条件にアルバムを提供するのではなく、例えば、所定金額以上の料金であることを条件に、つまり、アルバムコスト等を考慮して採算がとれる顧客であることを条件にアルバムを提供することができる。
【００２３】
この場合、種類別に写真印刷物の印刷枚数を計数し、この種類別の印刷枚数が当該種類に対応して予め決められている最小値以上であるか否かを判定し、この印刷枚数が当該種類の最小値以上であることを条件に、その種類に対応するアルバムを選択して提供するようにしたから(請求項５記載の発明)、アルバムに収納整理する必要がない程、印刷枚数が少ない場合には、アルバムを提供しないようにしているため、無駄を防ぎ、過剰サービスを抑えることができる。
【００２４】
請求項６記載の発明によれば、上述した請求項１記載の発明と同様の効果を有する他、写真印刷物の種類が複数種混在している場合に、種類別にその印刷枚数を集計し、この種類別の印刷枚数のうち、印刷枚数が最も多い種類に対応するアルバムを選択して提供するようにしたから、例えば、写真印刷物の種類が印刷サイズの場合において、その殆どがＬサイズで、その他の２Ｌサイズやパノラマサイズが極少数であれば、Ｌサイズ対応のアルバムのみを提供することができる。
【００２５】
請求項７記載の発明によれば、上述した請求項１記載の発明と同様の効果を有する他、写真印刷物の種類が複数種混在している場合に、各種類に対応する複数種のアルバムを選択して提供するようにしたから、例えば、写真印刷物の種類が印刷サイズの場合において、Ｌサイズ、２Ｌサイズ、パノラマサイズが略均等に混在していれば、各サイズ対応のアルバムをそれぞれ提供することができる。
【００２６】
請求項１４記載の発明によれば、上述した請求項１記載の発明と同様の効果を有する他、投入された記録メディア内の各写真画像の中から任意に指定された写真画像、外部機器から通信手段を介して送信されて来た写真画像のうち、少なくともその何れかの写真画像を印刷対象の写真画像としたから、記録メディア内の各写真画像に限らず、外部機器から通信手段を介して送信されて来た写真画像を印刷して販売することができる。
【００２７】
請求項９記載の発明（第２の発明）によれば、写真印刷物を収納整理するための既製アルバムが保管されている状態において、印刷対象の写真画像が任意に指定された際に、指定された印刷対象画像を個別に印刷して排出すると共に、写真印刷物の印刷枚数に基づいてアルバムの必要部数を決定し、この部数分のアルバムを排出するようにしたから、顧客以外の者にアルバムが持ち出されることはなく、正規な顧客に対してのみアルバムを提供できると共に、印刷枚数に応じた必要部数分のアルバムを提供することができる。
【００２８】
請求項１０記載の発明によれば、上述した請求項９記載の発明と同様の効果を有する他、印刷対象の写真画像およびその印刷枚数が任意に指定された際に、指定された印刷対象画像毎にその指定枚数分の印刷を行う場合において、全ての印刷対象画像を印刷した合計印刷枚数を計数するようにしたから、顧客にあっては全ての写真印刷物をアルバム内に収納整理することができる。
【００２９】
請求項１１記載の発明によれば、上述した請求項９記載の発明と同様の効果を有する他、同一の写真画像の繰り返し印刷が指定されたとしても、印刷対象として指定された画像数を印刷枚数として計数するようにしたから、同一の写真画像は通常、アルバムに入れないことを考慮してアルバムの必要部数を決定することができ、無駄なアルバム提供を抑制することができる。
なお、第２の発明においても、上述した請求項１４記載の発明と同様の効果を有する。
【００３０】
請求項１３記載の発明（第３の発明）によれば、写真印刷物を収納整理するための既製アルバムとして、収納可能枚数が異なる複数種のアルバムが保管されている状態において、印刷対象の写真画像が任意に指定された際に、指定された印刷対象画像を個別に印刷して排出する他、写真印刷物の印刷枚数を計数すると共に、この印刷枚数分の写真印刷物を全て収納可能なアルバムの種類を決定し、この種類のアルバムを排出するようにしたから、顧客以外の者にアルバムが持ち出されることはなく、正規な顧客に対してのみアルバムを提供できると共に、印刷枚数分の写真印刷物を全て収納可能なアルバムを提供することができる。
なお、第３の発明においても、上述した請求項１４記載の発明と同様の効果を有する。
【発明を実施するための最良の形態】
【００３１】
（実施例１）
以下、図１〜図９を参照して本発明の第１実施例を説明する。
図１は、この実施例における写真画像印刷販売装置の全体を示した外観斜視図である。
この写真画像印刷販売装置は、顧客からの写真画像を印刷して販売するための自動販売機である。すなわち、この写真画像印刷販売装置は、例えば、コンビニエンス・ストアや街中などに設置されたもので、カメラ撮影された写真画像群を記録する記録メディア(ＤＶＤ等)が投入された際に、この記録メディアから写真画像群を読み出して高品質印刷を行い、この写真印刷物(写真プリント)を排出して販売するプリント・ベンダ(ＰＶ)である。
【００３２】
この本体の前面部には、図示のように、記録メディア投入用のスロット群１、タッチパネル付きディスプレイ２、写真プリント／アルバム取出口３、紙幣投入口４、硬貨投入口５、返却レバー６、釣銭返却口７、レシート受取口８などが設けられている。
記録メディア投入用スロット群１は、顧客から投入される記録メディアのサイズや形状などに応じて使用可能な複数種（７種類）の記録メディアに対応したスロット群である。
タッチパネル付きディスプレイ２は、操作ガイダンスや操作ボタンを表示したり、各種のメッセージ情報を表示するタッチパネル付きのディスプレイ画面である。
【００３３】
写真プリント／アルバム取出口３は、印刷された各写真プリントと、それらを収納整理するためのアルバムが排出される写真プリント／アルバム用の取出口(受け取り口)である。ここで、アルバムは、表紙と裏表紙間の各ページに写真プリントを収納整理する１〜４枚程度の透明シート製の収納ポケットが設けられた既製アルバムであり、顧客に対して一定の条件下で無料提供される。なお、紙幣投入口４、硬貨投入口５、返却レバー６、釣銭返却口７は、通常の自動販売機に備えられているものと同様であり、また、レシート受取口８は、取引終了時に印刷枚数、料金、投入金額、釣銭、各種メッセージなどが印刷された提供レシートが排出される。
【００３４】
図２は、写真画像印刷販売装置の基本的な構成要素を示したブロック図である。
ＣＰＵ１１は、記憶部１２内のオペレーティングシステムや各種アプリケーションソフトに従ってこの写真画像印刷販売装置の全体動作を制御する中央演算処理装置である。記憶部１２は、プログラム領域とデータ領域とを有し、磁気的／光学的メモリや半導体メモリ等の他、その駆動系を有する構成となっている。この記憶部１２内のプログラム領域には、後述する図７〜図９に示す動作手順に従って本実施例を実現する為のアプリケーションプログラムが格納され、また、そのデータ領域には、後述する図３〜図６に示すデータ（アルバム種テーブル、画像選択テーブル、タイプ別集計テーブル、選択アルバムテーブル）が格納されている。なお、記憶部１２は、ハードディスク等の固定メモリであるが、この記憶部１２の他に、ＣＤ−ＲＯＭ、ＤＶＤ等の着脱自在な記憶媒体１３が設けられている。
【００３５】
更に、ＣＰＵ１１は、伝送部１４を介して他の電子機器側のプログラム／データを直接アクセスしたり、伝送部１４を介して写真画像等をダウンロード受信することもできる。一方、ＣＰＵ１１には、各種の入出力周辺デバイスが接続されている。すなわち、入出力周辺デバイスとして、上述した記録メディア投入用スロット群１に連結されている記録メディア受付装置１５と、タッチパネル付きディスプレイ２を構成する表示部１６および操作部１７と、写真プリント／アルバム取出口３に連結されている写真プリンタ装置１８および写真アルバム提供装置１９と、紙幣投入口４、硬貨投入口５、返却レバー６、釣銭返却口７に連結されている金銭授受装置２０を有している。
記録メディア受付装置１５は、記録メディアが投入された際に、この記録メディアをアクセスして各写真画像を順次読み取るもので、写真画像を読み取る毎に各画像データは、ＣＰＵ１１に与えられる。
【００３６】
写真プリンタ装置１８は、記録メディアからＣＰＵ１１を介して転送されて来た各写真画像を内部メモリに一時記憶しながら一枚ずつ印刷するもので、例えば、高品位・高速印刷が可能なマルチカラーレーザプリンタによって構成され、プリント・ベンダの中核を成すＣＰＵ１１とは独立して印刷動作を行う。この場合、記録メディアに記録されている各写真画像の中から印刷対象の写真画像およびその印刷サイズ(プリントサイズ)などが任意に指定された際に、ＣＰＵ１１は、指定された印刷対象画像および指定サイズなどを写真プリンタ装置１８へ転送するが、その際、写真プリンタ装置１８は、記録紙格納部２１の中から指定サイズに相当する記録紙を取り出しながら印刷対象画像を指定サイズで個別に印刷した後、各写真プリントを一括排出させる。なお、記録紙格納部２１には、Ｌサイズ、２Ｌサイズ、パノラマサイズなどのように異なるサイズの記録紙が分類格納されている。
【００３７】
写真アルバム提供装置１９は、アルバム格納部２２に収納保管されている各種のアルバムの中から所定のアルバムを取り出して排出させるものである。アルバム格納部２２には、複数種(後述する１６種)のアルバムが分類格納されている。
金銭授受装置２０は、投入金額を計数してＣＰＵ１１に与えたり、ＣＰＵ１１からの指示に従って釣銭を排出する通常の構成となっている。表示部１６および操作部１７は、液晶表示装置、ＣＲＴ表示装置、プラズマ表示装置等のディスプレイ画面にタッチパネルを貼り付けた構成となっている。
【００３８】
図３は、アルバム種テーブル３１の構成を示した図である。
このアルバム種テーブル３１は、アルバム格納部２２に分類格納されている１６種のアルバムに対応付けてそのアルバムに関する情報として、「印刷タイプ」、「収納枚数」、「アルバム種」、「最低枚数」の各項目を記憶管理する構成となっている。「印刷タイプ」は、写真プリントの印刷タイプを示し、そのプリントサイズ(Ｍサイズ／Ｌサイズ／２Ｌサイズ／パノラマサイズ)と、その印刷向き(横長：ヨコ向き／縦長：タテ向き)に応じて分類されたもので、例えば、図中、「Ｍ(タテ)」は、写真プリントがＭサイズでタテ向きの場合のタイプ、「Ｍ(ヨコ)」は、写真プリントがＭサイズでヨコ向きの場合、‥‥「パノラマ(ヨコのみ)」は、写真プリントがパノラマサイズでヨコ向きの場合のタイプを示している。
なお、「Ｍ(タテ)」型のアルバムを構成する全ての収納ポケットは、Ｍサイズでタテ向きの写真プリントに相当する形状となっており、また、「Ｍ(ヨコ)」型のアルバムを構成する全ての収納ポケットは、Ｍサイズでヨコ向きの写真プリントに相当する形状となっている。このことは、他のタイプの各アルバムに対しても同様である。
【００３９】
「収納枚数」は、１つのアルバム内に同一タイプの写真プリントを収納することができる収納可能枚数、言い換えれば、収納ポケットの総数を示したもので、「印刷タイプ」が同一であっても、「収納枚数」毎に異なる種類のアルバムが複数種用意されている。例えば、「Ｍ(ヨコ)」型のアルバムには、「収納枚数」が「２０枚」、「４０枚」の種類があり、また、「Ｌ(タテ)」型のアルバムには、「収納枚数」が「１６枚」、「３２枚」、「４０枚」の種類がある。「アルバム種」は、アルバムの種類を示すコード情報であり、例えば、「Ｍ０１」は、印刷タイプが「Ｍ(タテ)」型で収納枚数が「２０枚」の種類を示し、‥‥、「Ｍ０４」は、印刷タイプが「Ｍ(ヨコ)」型で収納枚数が「４０枚」の種類を示し、‥‥、「Ｐ０２」は、印刷タイプが「パノラマ(ヨコのみ)」型で収納枚数が「２０枚」の種類を示している。
【００４０】
「最低枚数」は、「印刷タイプ」毎に設定されたアルバムの提供条件を示したもので、ＣＰＵ１１は、１顧客分の取引時に印刷タイプ別に写真プリントの印刷枚数を計数すると共に、印刷タイプ毎の印刷枚数と対応する「最低枚数」とを比較し、印刷枚数が「最低枚数」以上であることを条件に、その種類に対応するアルバムを提供するようにしている。例えば、「Ｍ(タテ)」、「Ｍ(ヨコ)」のアルバムに対応する「最低枚数」として、「１０枚」が設定されているため、この写真プリントの印刷枚数が１０枚以上であれば、この種類のアルバムを提供するようにしている。
【００４１】
図４は、画像選択テーブル３２の構成を示した図である。
この画像選択テーブル３２は、記録メディア内の各写真画像のうち、印刷対象として任意に選択された画像毎にその「選択画像Ｎｏ」、「印刷向き」、「印刷サイズ」、「指定枚数」の各項目を一時記憶するもので、「選択画像Ｎｏ」、「印刷向き」は、記録メディア内から取得したデータであるが、「印刷サイズ」、「指定枚数」は、印刷対象を選択する際に、顧客によって任意に入力指定されたデータである。ここで、「指定枚数」は、同一画像を複数印刷させるために任意に入力指定された印刷枚数である。なお、画像選択テーブル３２は、１顧客分の各写真画像に関するデータを一時記憶するもので、この内容は当該顧客との取引終了時に消去されるが、取引履歴として保存ファイル(図示せず)に転送するようにしてもよい。
【００４２】
図５は、タイプ別集計テーブル３３の構成を示した図である。
このタイプ別集計テーブル３３は、画像選択テーブル３２の内容(１顧客分のデータ)を集計したもので、ＣＰＵ１１は、画像選択テーブル３２を参照し、印刷対象として選択された各画像のプリントサイズおよび印刷向きを判別しながらプリントサイズ毎に、印刷向き別の印刷枚数を集計し、その結果をタイプ別集計テーブル３３にセットする。タイプ別集計テーブル３３は、プリントサイズ毎に印刷向き別の印刷枚数(タイプ別集計枚数)を一時記憶する構成で、図中、縦方向はプリントサイズ(Ｍ、Ｌ、２Ｌ、パノラマ)の項目、横方向は印刷向き(タテ、ヨコ)の項目となっており、この縦横の交差部分に集計枚数がセットされる。
【００４３】
図６は、選択アルバムテーブル３４の構成を示した図である。
この選択アルバムテーブル３４は、写真プリントのタイプ別集計枚数に基づいてどの種類のアルバムを何部提供するかが決定された際に、この決定内容を示すアルバム選択情報がセットされるもので、ＣＰＵ１１は、タイプ別集計テーブル３３の内容を参照することによって、どの種類のアルバムを何部提供するかを決定し、アルバムの種類毎にそのアルバム種と部数を示す情報を選択アルバムテーブル３４にセットする。この場合、タイプ別集計枚数が当該タイプに対応してアルバム種テーブル３１に設定されている「最低枚数」以上であることを条件に、アルバムを無料にて提供するようにしている。
【００４４】
次に、この第１実施例における写真画像印刷販売装置の動作概念を図７〜図９に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体の他に、伝送媒体を介して外部供給されたプログラム／データを利用してこの実施例特有の動作を実行することもできる。
【００４５】
図７および図８は、写真画像印刷販売装置(本体ＰＶ)の全体動作を示したフローチャートである。
先ず、ＣＰＵ１１は、記録メディアの投入待ち状態において(ステップＡ１)、記録メディアが投入されると、この記録メディアから各写真画像を順次読み出して(ステップＡ２)、各写真画像を一覧表示(サムネイル表示)させる(ステップＡ３)。この一覧画面には、プリントサイズを選択するためのサイズ選択ボタン、印刷枚数を入力するための枚数入力ボタン等も併せて表示されており、この一覧画面上の任意の写真画像をタッチ指定することによって当該写真画像を印刷対象として選択する(ステップＡ４)。
【００４６】
そして、サイズ選択ボタンをタッチ操作することによって当該印刷対象画像のプリントサイズを任意に選択すると共に(ステップＡ５)、枚数入力ボタンを操作することによって当該印刷対象画像の印刷枚数を任意に入力する(ステップＡ６)。すると、ＣＰＵ１１は、当該印刷対象として選択された画像の「印刷向き」を取得した後に(ステップＡ７)、当該印刷対象の「画像Ｎｏ」、「印刷向き」、「印刷サイズ」、「印刷枚数」を画像選択テーブル３２の対応項目に記録する(ステップＡ８)。
【００４７】
そして、印刷対象の選択終了がユーザ指示されたかをチェックし(ステップＡ９)、終了指示があるまでステップＡ３に戻って上述の動作を繰り返す(ステップＡ３〜Ａ９)。いま、終了指示を受けた場合には、画像選択テーブル３２の内容に基づいて合計料金を計算して料金表示を行う(ステップＡ１０)。ここで、料金分の金額が投入されたかをチェックし(ステップＡ１１)、料金分の金額が投入されなければ、この時点で記録メディアを排出させて強制終了となるが、料金分の金額が投入された場合には、画像選択テーブル３２および印刷対象の各画像データを写真プリンタ装置１８に転送して、画像印刷の指示を行う(ステップＡ１２)。
【００４８】
図９は、写真プリンタ装置１８側の動作を示したフローチャートである。
先ず、写真プリンタ装置１８は、データ転送の待ち状態において(ステップＢ１)、本体ＰＶからのデータ転送を検出すると、画像選択テーブル３２および各画像データを受け取って一時記憶保持しておく(ステップＢ２)。この状態において、画像選択テーブル３２の先頭から「選択画像Ｎｏ」を指定し、この「選択画像Ｎｏ」対応の画像データを読み出し(ステップＢ３)、この画像データをその「印刷サイズ」に変更しながら画像印刷を行う(ステップＢ４)。この場合、当該画像データの「指定枚数」を参照し、複数枚の画像データの指定有無をチェックし(ステップＢ５)、複数枚の指定が有れば、ステップＢ３に戻って指定枚数分の印刷が終わるまで同一画像の印刷を繰り返す。これによって１画像分の印刷が終了すると、全選択画像分の印刷が終了したかをチェックし(ステップＢ６)、全選択画像の印刷が終了するまで１画像毎に上述の動作を繰り返す(ステップＢ３〜Ｂ６)。ここで、全印刷の終了が検出されると、全ての写真プリントを取出口３に一括排出させた後(ステップＢ７)、本体ＰＶに対して印刷終了を通知する(ステップＢ８)。
【００４９】
一方、本体ＰＶ側においては、画像選択テーブル３２および画像データを写真プリンタ装置１８に転送した後に、図８のステップＡ１３に移り、画像選択テーブル３２を参照して印刷対象画像毎にそのプリントサイズおよび印刷向きを判別しながらプリントサイズ毎に印刷向き別の印刷枚数(指定枚数)を集計し、その結果をタイプ別集計テーブル３３にセットする。そして、タイプ別集計テーブル３３をアクセスしてその１つのタイプを指定し(ステップＡ１４)、この指定タイプに対応する「集計枚数」を読み出すと共に、当該タイプ対応の「最低枚数」をアルバム種テーブル３１から読み出し、この集計枚数は最低枚数以上かを調べる(ステップＡ１５)。
【００５０】
ここで、指定タイプの集計枚数がその最低枚数以上であれば(ステップＡ１５でＹＥＳ)、当該タイプ対応の各「収納枚数」をアルバム種テーブル３１から読み出し、この各「収納枚数」の中からその最大値を特定し、集計枚数は当該最大値以上か否かをチェックする(ステップＡ１６)。例えば、写真プリントのタイプが「Ｌ(タテ)」で、その集計枚数が「３５枚」であれば、当該タイプ対応の各「収納枚数」として「１６枚」、「３２枚」、「４０枚」が読み出されてその最大値「４０枚」が特定されるが、この場合、集計枚数は「３５枚」であるため当該最大値未満であることが検出される。つまり、当該タイプの写真プリントを全て１つのアルバム内に収納可能であることが検出される。この場合、次のステップＡ１７に移って集計枚数に応じたアルバム種の選択が行われる。いま、写真プリントのタイプが「Ｌ(タテ)」で、その集計枚数が「３５枚」であるから、アルバム種として「ＬＯ３」が選択される。同様に、写真プリントのタイプが「Ｍ(タテ)」で、その集計枚数が「１８枚」であれば、アルバム種として「Ｍ０１」が選択される。すなわち、収納枚数が最も少ないアルバム種であっても写真プリントの全てを収納可能なため、集計枚数に応じたアルバム種として「Ｍ０１」が選択される。
【００５１】
また、写真プリントのタイプが「Ｌ(タテ)」で、その集計枚数が「８５枚」であれば、最大値以上であることが検出されるため、ステップＡ１８に移り、集計枚数に応じたアルバム種の選択と、このアルバム種毎の部数を算出する。この場合、集計枚数が「８５枚」の全てを収納するためには、収納枚数が４０枚のアルバム種「Ｌ０３」が選択されると共に、その必要部数として「２部」が算出され、残りの５枚を収納するアルバムとして、収納枚数が最少のアルバム種「Ｌ０１」が選択され、その必要部数として「１部」が算出される。そして、上述のようにして得られた選択アルバム情報は、選択アルバムテーブル３４にセットされる(ステップＡ１９)。
【００５２】
次に、タイプ別集計テーブル３３の全タイプを指定し終わったかをチェックし(ステップＡ２０)、全タイプを指定し終わるまでステップＡ１４に戻って次のタイプを順次指定しながら指定タイプの集計枚数はその最低枚数以上であるかをチェックし(ステップＡ１５)、以下、最低枚数以上であることを条件に上述の動作を繰り返す。
この際、指定タイプの集計枚数がその最低枚数未満であれば(ステップＡ１５でＮＯ)、選択アルバムテーブル３４に選択アルバム情報をセットする処理をスキップしてステップＡ２０に移る。従って、選択アルバム情報は、指定タイプの集計枚数がその最低枚数以上であることを条件に、選択アルバムテーブル３４にセットされる(ステップＡ１９)。
【００５３】
ここで、図６の例において、写真プリントのタイプが「Ｌ(タテ)」でその集計枚数が「８５枚」であれば、アルバム種「Ｌ０３」で示されるアルバムを２部提供すべきことを示す情報として「Ｌ０３×２」がセットされると共に、アルバム種「Ｌ０１」で示されるアルバムを１部提供すべきことを示す情報として「Ｌ０１×１」がセットされる。また、タイプが「２Ｌ」でその集計枚数が「４枚」の写真プリントが含まれている場合、当該タイプの「最低枚数」は、図３に示すように「８枚」であり、タイプ別の集計枚数は、最低枚数未満であるから、２Ｌサイズ対応のアルバム選択情報はセットされないが、タイプが「Ｍ(タテ)」でその集計枚数が「１８枚」の写真プリントが含まれている場合には、このタイプ別の集計枚数は、その最低枚数「１０枚」以上であるため、アルバム種「Ｍ０１」で示されるアルバムを１部提供すべきことを示す情報として「Ｍ０１×１」がセットされる。
【００５４】
これによって全タイプを指定し終わった場合には(ステップＡ２０でＹＥＳ)、選択アルバムテーブル３４に情報がセットされているかをチェックし、選択アルバム情報がセットされていなければ、ステップＡ２３に移るが、選択アルバム情報が１つでもセットされていれば、この選択アルバム情報を読み出し、アルバム種毎に対応する種類のアルバムを必要部数分排出すべきことをアルバム格納部２２に対して指示した後に(ステップＡ２２)、写真プリンタ装置１８からの終了指示待ち状態となる(ステップＡ２３)。写真アルバム提供装置１９は、指示された種類のアルバムをアルバム格納部２２から必要部数分取り出して排出させるが、図６の例では、アルバム「Ｌ０３」を２部、「Ｌ０１」を１部、「Ｍ０１」を１部排出して無料提供する。ここで、写真プリンタ装置１８から終了指示を受け取ると、ＣＰＵ１１は、プリント終了を示すメッセージを表示出力させた後(ステップＡ２４)、最初のステップＡ１に戻って記録メディアの投入待ち状態となる。
【００５５】
以上のように、この第１実施例において、写真プリントを収納整理するための収納ポケットを持った既製アルバムが写真プリントの種類別に複数種保管されている状態において、写真プリンタ装置１８は、印刷対象の写真画像およびそのプリントサイズが任意に指定された際に、この印刷対象画像をその指定サイズで個別に印刷して排出し、ＣＰＵ１１は、写真プリントの種類を判別し、写真アルバム提供装置１９は、写真プリントの種類に対応するアルバムを選択して排出するようにしたから、顧客以外の者にアルバムが持ち出されることはなく、正規な顧客に対してのみアルバムを提供できると共に、写真プリントの種類に対応する種類のアルバムを提供することができる。
【００５６】
この場合、複数種のアルバムは、写真プリントのサイズ、印刷向きに相当する大きさの収納ポケットを持った既製アルバムであり、ＣＰＵ１１は、印刷対象画像毎にそのプリントサイズ、印刷向きを当該写真プリントの種類として判別するようにしたから、例えば、プリントサイズ別、印刷向き別に用意されている各種アルバムの中から今回のサイズ、印刷向きに合った種類のアルバムを提供することができる。
更に、写真プリントの収納可能枚数が異なる複数種のアルバムが保管されている状態において、ＣＰＵ１１は、写真プリントの印刷枚数を集計すると共に、この集計枚数分の写真プリントを全て収納可能なアルバムの種類を決定し、この種類のアルバムを排出するようにしたから、集計枚数分の写真プリントを全て収納可能なアルバムを提供することができる。
【００５７】
ＣＰＵ１１は、写真プリントの集計枚数に基づいてアルバムの必要部数を決定し、この部数分のアルバムを排出するようにしたから、集計枚数に応じた必要部数分のアルバムを提供することができる。
また、写真プリントのタイプが複数種混在している場合には、各タイプに対応する複数種のアルバムを選択するようにしたから、例えば、写真プリントの各タイプに対応の複数種のアルバムをそれぞれ提供することができる。
【００５８】
また、ＣＰＵ１１は、タイプ別に写真プリントの集計枚数を求め、このタイプ別の集計枚数が当該タイプに対応して予め決められている最低枚数以上であることを条件に、そのタイプに対応する種類のアルバムを選択するようにしたから、アルバムに収納整理する必要がない程、写真プリントの枚数が少ない場合には、アルバムを提供しないようにしているため、無駄を防ぎ、過剰サービスを抑制することができる。
また、任意に指定された印刷対象画像毎にその指定枚数分の印刷を行う場合において、ＣＰＵ１１は、全ての印刷対象画像を印刷した合計印刷枚数を集計するようにしたから、顧客にあっては全ての写真プリントをアルバム内に収納整理することができる。
【００５９】
なお、上述した第１実施例においては、タイプ別に写真プリントの集計枚数が当該タイプに対応する最低枚数以上であることを条件に、そのタイプに対応する種類のアルバムを選択するようにしたが、料金(合計金額)が 所定金額以上であることを条件に、つまり、アルバムコスト等を考慮して採算がとれる顧客であることを条件にアルバムを提供するようにしてもよい。
また、上述した第１実施例においては、投入された記録メディア内の各写真画像の中から任意に指定された写真画像を印刷するようにしたが、外部機器から通信手段を介して送信されて来た写真画像を印刷するようにしてもよい。
【００６０】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、印刷対象の写真画像およびその印刷サイズが任意に指定された際に、指定された印刷対象画像をその指定サイズで個別に印刷して排出する機能と、写真印刷物の種類を判別する機能と、写真印刷物を収納整理するための収納ポケットを持った既製アルバムが写真印刷物の種類別に複数種保管されている状態において、前記判別された写真印刷物の種類に対応するアルバムを選択して提供する機能とを実現させるためのプログラムを記録したコンピュータが読み取り可能な記録媒体を提供するようにしてもよい。
【００６１】
また、コンピュータが読み取り可能なプログラムコードを有する記録媒体であって、印刷対象の写真画像が任意に指定された際に、指定された印刷対象画像を個別に印刷する機能と、写真印刷物の印刷枚数を計数する機能と、写真印刷物を収納整理するための既製アルバムが保管されている状態において、前記印刷枚数に基づいてアルバムの必要部数を決定する機能と、決定された必要部数分のアルバムを排出する機能とを実現させるためのプログラムを記録したコンピュータが読み取り可能な記録媒体を提供するようにしてもよい。
【００６２】
また、コンピュータが読み取り可能なプログラムコードを有する記録媒体であって、写真印刷物の印刷枚数を計数する機能と、印刷対象の写真画像が任意に指定された際に、指定された印刷対象画像を個別に印刷して排出する機能と、写真印刷物を収納整理するための既製アルバムとして、収納可能枚数が異なる複数種のアルバムが保管されている状態において、前記印刷枚数分の写真印刷物を全て収納可能なアルバムの種類を決定する機能と、決定された種類のアルバムを排出する機能とを実現させるためのプログラムを記録したコンピュータが読み取り可能な記録媒体を提供するようにしてもよい。
（実施例２）
【００６３】
以下、この発明の第２実施例について図１０を参照して説明する。
なお、上述した第１実施例と第２実施例において、基本的あるいは名称的に同一のものは、同一符号を付して示し、その説明を省略するものとする。
なお、上述した図６および図９のフローチャートは、第２実施例においても同様であるため、以下、上述の第１実施例と比較しながら図１０に示した第２実施例の特徴部分を中心に説明するものとする。
【００６４】
図１０は、写真画像印刷販売装置(本体ＰＶ)の全体動作を示したフローチャートであり、上述した図６のフローチャートに続いて実行される。
先ず、ＣＰＵ１１は、画像選択テーブル３２を参照して印刷対象画像毎にそのプリントサイズおよび印刷向きを判別しながらプリントサイズ毎に印刷向き別の印刷枚数を集計し、その結果をタイプ別集計テーブル３３にセットする(ステップＡ３１)。この場合、上述した第１実施例においては、印刷対象画像毎に任意に指定された「指定枚数」を集計するようにしたが、この第２実施例においては、「指定枚数」を無視して印刷対象の画像数を集計するようにしている。そして、次のステップＡ３２では、タイプ別集計テーブル３３にセットされている各タイプのうち、集計枚数が最低枚数以上のタイプが存在しているかをチェックする。すなわち、タイプ別集計テーブル３３にセットされている各タイプ別の集計枚数と、当該タイプに対応してアルバム種テーブル３１に設定されている最低枚数とを比較することによって集計枚数が最低枚数以上のタイプが有るかをチェックする。
【００６５】
ここで、集計枚数が最低枚数以上のタイプが有れば(ステップＡ３２でＹＥＳ)、その中で最も枚数が多いタイプを１つ選択し(ステップＡ３３)、この選択タイプとその集計枚数に基づいてアルバム種を選択すると共に、部数の算出を行う(ステップＡ３４)。これによって選択されたアルバムを部数分排出すべきことを写真アルバム提供装置１９に対して指示する(ステップＡ３５)。すなわち、上述した第１実施例においては、複数種のタイプが混在している場合には、各タイプの集計枚数が当該タイプに対応する最低枚数以上であることを条件に、各タイプに対応する種類のアルバムをそれぞれ提供するようにしたが、この第２実施例においては、最も枚数が多いタイプを１つ選択し、このタイプに対応する種類のアルバムのみを必要部数分提供するようにしている。
【００６６】
他方、集計枚数が最低枚数以上となるタイプが１つも存在していない場合には(ステップＡ３２でＮＯ)、各タイプ別の集計枚数を案内表示させると共に、有料提供するアルバムを希望するか否かを問い合わせるためのメッセージを表示出力させる(ステップＡ３６)。ここで、顧客からアルバム希望の指示が無ければ、ステップＡ４１に移るが、顧客からアルバム希望の指示を受けた場合には(ステップＡ３７)、アルバム代の料金計算を行って案内表示した後(ステップＡ３８)、料金投入の待ち状態となる(ステップＡ３９)。ここで、料金投入が検出を際には、希望のあったタイプのアルバムを選択して排出させる(ステップＡ４０)。そして、ステップＡ４１に移って写真プリンタ装置１８から終了通知の待ち状態となり、終了通知を受けた場合には、図７の最初のステップＡ１に戻る。
【００６７】
以上のように、この第２実施例においてＣＰＵ１１は、同一の写真画像の繰り返し印刷が指定されたとしても、印刷対象として指定された画像数を印刷枚数として集計するようにしたから、同一の写真画像は通常、アルバムに入れないことを考慮してアルバムの必要部数を決定することができ、無駄なアルバムの提供を抑制することができる。
また、タイプが複数種混在している場合に、タイプ別にその印刷枚数を集計し、このタイプ別の集計枚数のうち、枚数が最も多いタイプに対応する種類のアルバムを１つ選択するようにしたから、例えば、写真プリントの「タイプ」がその印刷サイズの場合において、その殆どがＬサイズで、その他の２Ｌサイズやパノラマサイズが極少数であれば、Ｌサイズ対応のアルバムのみを提供することができる。
更に、集計枚数が最低枚数以上となるタイプが１つも存在していない場合には、顧客の要望に応じてアルバムを有料にて提供することができる。
【図面の簡単な説明】
【００６８】
【図１】写真画像印刷販売装置の全体を示した外観斜視図。
【図２】写真画像印刷販売装置の基本的な構成要素を示したブロック図。
【図３】アルバム種テーブル３１の構成を示した図。
【図４】画像選択テーブル３２の構成を示した図。
【図５】タイプ別集計テーブル３３の構成を示した図。
【図６】選択アルバムテーブル３４の構成を示した図。
【図７】写真画像印刷販売装置(本体ＰＶ)の全体動作を示したフローチャート。
【図８】図７に続く、写真画像印刷販売装置(本体ＰＶ)の全体動作を示したフローチャート。
【図９】写真プリンタ装置１８側の動作を示したフローチャート。
【図１０】第２実施例において、図６のフローチャートに続いて実行される写真画像印刷販売装置(本体ＰＶ)の全体動作を示したフローチャート。
【符号の説明】
【００６９】
１  記録メディア投入用のスロット群
２  タッチパネル付きディスプレイ
３  写真プリント／アルバム取出口
１１  ＣＰＵ
１２  記憶部
１４  伝送部
１５  記録メディア受付装置
１８  写真プリンタ装置
１９  写真アルバム提供装置
２０  金銭授受装置
２２  アルバム格納部
３１  アルバム種テーブル
３２  画像選択テーブル
３３  タイプ別集計テーブル
３４  選択アルバムテーブル
【図１】
2005216207.tif 000003
【図２】
2005216207.tif 000004
【図３】
2005216207.tif 000005
【図４】
2005216207.tif 000006
【図５】
2005216207.tif 000007
【図６】
2005216207.tif 000008
【図７】
2005216207.tif 000009
【図８】
2005216207.tif 000010
【図９】
2005216207.tif 000011
【図１０】
2005216207.tif 000012